【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
１本のプラスチック製の棒状の柄（１１）を有する歯間クリーナー（１０）であって、前記柄がその軸方向長さの少なくとも一部に、前記柄（１１）から半径方向に突き出た複数の構造体要素を備えた１つの構造体（１２）を有し、前記柄（１１）の前記構造体（１２）を有する少なくとも一部が前記構造体（１２）と共にその長手方向軸（L）を中心にしてねじられている歯間クリーナーにおいて、
前記構造体（１２）が半径方向に突き出た複数の指状突起（１４）または複数のリブ（１９）、並びに、半径方向に突き出た複数の毛（１３）を有し、
前記複数の指状突起（１４）または複数のリブ（１９）が、前記柄（１１）の鞘状被覆（１５）と一体に成形されていることを特徴とする歯間クリーナー。
【請求項２】
前記複数の毛（１３）が少なくとも１つの列（１７）に配置されていることを特徴とする請求項１に記載の歯間クリーナー。
【請求項３】
前記列（１７）が前記柄（１１）の周りを螺旋状に周回していることを特徴とする請求項２に記載の歯間クリーナー。
【請求項４】
前記複数の毛（１３）が前記柄（１１）、または、前記被覆（１５）に埋め込まれていることを特徴とする請求項１から３のいずれか１項に記載の歯間クリーナー。
【請求項５】
前記柄（１１）の中に１つの補強芯（１６）が配設されていることを特徴とする請求項１から４のいずれか１項に記載の歯間クリーナー。
【請求項６】
前記補強芯（１６）が前記柄（１１）の長手軸方向に延びている少なくとも１本の金属製またはプラスチック製のワイヤーで形成されていることを特徴とする請求項５に記載の歯間クリーナー。
【請求項７】
２本のワイヤーが平行に走り、それらの尖端部でＵ字形の移行部を形成して互いに結合されていることを特徴とする請求項６に記載の歯間クリーナー。
【請求項８】
歯間クリーナー（１０）の製造方法であって、１本のプラスチック製の棒状の柄（１１）が、軸方向長さの少なくとも一部に前記柄（１１）から半径方向に突き出た複数の構造体要素を備えた１つの構造体（１２）を有するようにし、前記柄（１１）の前記構造体（１２）を有する少なくとも一部が前記構造体（１２）と共にその長手方向軸（L）を中心にしてねじられる製造方法において、
前記柄（１１）が軸方向に離れた２つの領域において複数のクランプ装置（２０、２１）で把持され、次いで、これらのクランプ装置（２０、２１）が互いに相対的にねじられ、前記両クランプ装置（２０、２１）の相互間隔が、前記柄（１１）がねじられている間に変化されることを特徴とする製造方法。
【請求項９】
前記両クランプ装置（２０、２１）の相互間隔が、前記柄（１１）がねじられている間に連続的に変化されることを特徴とする請求項８に記載の方法。
【請求項１０】
前記柄（１１）が、前記ねじりの前、または、ねじり中に加熱されることを特徴とする請求項８または９に記載の方法。
【請求項１１】
前記柄（１１）の残留ねじり変形により、前記構造体（１２）のねじりが、３０°以上の角度とされることを特徴とする請求項８から１０のいずれか１項に記載の方法。
【請求項１２】
前記柄（１１）の前記構造体（１２）の領域に鞘状の被覆（１５）が設けられることを特徴とする請求項８から１１のいずれか１項に記載の方法。
【請求項１３】
前記構造体（１２）が半径方向に突き出た複数の指状突起（１４）、または、複数のリブ（１５）を有し、これらが前記被覆（１５）と一体に成形されていることを特徴とする請求項１２に記載の方法。
【請求項１４】
前記構造体（１２）が半径方向に突き出た複数の毛（１３）を有し、これらの毛が前記柄（１１）、または、前記被覆（１５）に埋め込まれることを特徴とする請求項８から１３のいずれか１項に記載の方法。
【請求項１５】
前記複数の毛（１３）が１つの平面上に並べて置かれて前記柄（１１）と共に１つの射出成形金型の中に位置決めされ、この金型の中で前記被覆（１５）を形成しつつ被覆モールドされ、引き続き所望の長さに切断されることを特徴とする請求項１４に記載の方法。
【請求項１６】
前記複数の毛（１３）が１つの射出成形金型の中で１つの平面上に並べて置かれて前記柄（１１）を形成しつつ被覆モールドされ、次工程において所望の長さに切断されることを特徴とする請求項１５に記載の方法。
【請求項１７】
前記柄（１１）が前記被覆（１５）および前記複数の毛（１３）、並びに、前記複数の指状突起（１４）または複数のリブ（１９）と共にねじられることを特徴とする請求項８から１６のいずれか１項に記載の方法。
【手続補正２】
【補正対象書類名】明細書
【補正対象項目名】００３３
【補正方法】変更
【補正の内容】
【００３３】
この柄１１は、図１の右側端部領域に示された１つの構造体１２と、その反対側に、図１の左側端部に、１つの握り部１８とを有し、使用者は歯間クリーナー１０をこの握り部で握ることができる。
【手続補正３】
【補正対象書類名】明細書
【補正対象項目名】００３６
【補正方法】変更
【補正の内容】
【００３６】
図２は開かれた射出成形金型Ｗ１の模式図であり、この金型は、上部キャビティーＫ１を有する上部型Ｆ１と、下部キャビティーＫ２を有する下部型Ｆ２とを有している。
【手続補正４】
【補正対象書類名】明細書
【補正対象項目名】００４２
【補正方法】変更
【補正の内容】
【００４２】
次の工程において、前方の第２クランプ装置２１が歯間クリーナー１０の長手方向軸Ｌ、すなわち、棒状の柄１１の長手方向軸Ｌを中心にして、図９において矢印Ｔで示すように、ねじられる。これによって、歯間クリーナー１０の両クランプ装置２０と２１の間の部分が、すなわち、そこに在る柄１１の部位と、複数の指状突起１４を供えた被覆１５と、複数の毛１３とが柄１１の長手方向軸Ｌを中心にしてねじられ、その結果、塑性変形を受ける。両方のクランプ装置２０と２１を開き、取り外した後では、歯間クリーナー１０は図１に示された形状を有し、この時、柄１１と、構造体１２を備えた被覆１５とは、複数の指状突起１４および特に複数の毛１３の複数の列１７が柄１１の周りを螺旋状に走るようにねじられている。
【手続補正５】
【補正対象書類名】明細書
【補正対象項目名】００４６
【補正方法】変更
【補正の内容】
【００４６】
この射出成形金型を開いた後で、複数の毛１３が埋め込まれた柄１１はもう１つの、図１４に示された射出成形金型Ｗ３に嵌め込まれ、この金型の半型部Ｆ３とＦ４はそれぞれ被覆１５を形成するためのキャビティーＫ３とＫ４を有している。複数の毛１３を有する柄１１は半型部Ｆ３とＦ４の間に嵌め込まれ、その後、図１４の矢印Ｓ４で示されているように、この射出成形金型は閉じられる。引き続きこれらのキャビティー内にプラスチックが注入されるので、柄１５のこの射出成形金型内に在る部分に鞘状の被覆１５が被着される。この被覆１５の外側に、既述した、半径方向外側に突き出た複数の指状突起１４が一体成形されている。柄１１に埋め込まれた複数の毛１３もこうして被覆１５に埋め込まれており、この中で付加的に支持されている。この射出成形金型を開いた後で、半径方向に突き出た複数の毛１３は、図１５に示されているように、所望の長さに切断される。これにより、図１６に示された歯間クリーナーが作製され、これはその次の工程で、既に図７から９を基に説明したように、ねじられる。
【手続補正６】
【補正対象書類名】明細書
【補正対象項目名】００４８
【補正方法】変更
【補正の内容】
【００４８】
図１７に示された歯間クリーナー１０は例えば、既に述べた方法で１組の毛が１つの射出成形金型内に嵌め込まれ、柄１１のプラスチック材料で被覆モールドされることにより作ることができる。次いで、図７から９を基に説明したように、この柄が構造体１２と共にその長手方向軸を中心にしてねじられる。
【手続補正７】
【補正対象書類名】明細書
【補正対象項目名】００４９
【補正方法】変更
【補正の内容】
【００４９】
以下、図１８から２３を基に、柄１１と構造体１２をねじるためのさらに展開された方法を記載する。このさらに展開された方法は、これまでの複数の実施例で記載された全ての歯間クリーナー、すなわち、鞘状の被覆１５、および、場合によっては半径方向にこの被覆から突き出た一体成形された指状突起１４、および／または、リブ１９をも付加的に有する歯間クリーナー、にも適用可能であることを指摘しておく。
【手続補正８】
【補正対象書類名】図面
【補正対象項目名】図４
【補正方法】変更
【補正の内容】
【図４】
2016528953.tif 000001